(57)【要約】【課題】第１イジェクトアームや第２イジェクトアームに反りや寸法変化が生じた場合でも、第１イジェクトアームと第２イジェクトアームとを適切に回動させることができるディスク装置を提供する。【解決手段】ディスク装置１は、大径ディスクを搬出する第１イジェクトアーム４４及び第２イジェクトアーム４５と、第１イジェクトアーム４４を回動させる駆動手段５と、駆動手段５の制御により第１イジェクトアーム４４が大径ディスクを搬出する方向へ回動したときに、第１イジェクトアーム４４の回動に同期させて第２イジェクトアーム４５を大径ディスクを搬出する方向へ回動させる同期手段４８と、を備え、同期手段４８は、第１イジェクトアーム４４に設けられた第１同期ギア４４３と、この第１同期ギア４４３に連結されるように第２イジェクトアーム４５に設けられた第２同期ギア４５２とを備える。【選択図】図１
2012155793.tif 000002
【特許請求の範囲】
【請求項１】
ケースに収納されたディスクを搬出するディスク搬送装置であって、
第１回動軸を中心に回動可能に設けられ、前記ディスクを搬出する第１イジェクトアームと、
第２回動軸を中心に回動可能に設けられ、前記ディスクを搬出する第２イジェクトアームと、
前記第１イジェクトアームを回動させる駆動手段と、
前記駆動手段の制御により前記第１イジェクトアームが前記ディスクを搬出する方向へ回動したときに、前記第１イジェクトアームの回動に同期させて前記第２イジェクトアームを前記ディスクを搬出する方向へ回動させる同期手段と、を備え、
前記同期手段は、前記第１イジェクトアームに設けられた第１同期ギアと、前記第１同期ギアに連結されるように前記第２イジェクトアームに設けられた第２同期ギアとを備える
ことを特徴とするディスク搬送装置。
【請求項２】
請求項１に記載のディスク搬送装置であって、
前記第１イジェクトアーム及び前記第２イジェクトアームは、それぞれ板状に形成され、
前記第１同期ギアは、前記第１イジェクトアームの側面に設けられ、
前記第２同期ギアは、前記第２イジェクトアームの側面に設けられている
ことを特徴とするディスク搬送装置。
【請求項３】
ディスクを収納可能なケースと、
前記ケースに収納されたディスクを搬出する請求項１又は請求項２に記載のディスク搬送装置と、
前記ディスクに対する処理をするディスク処理手段と、
を備えることを特徴とするディスク装置。
【請求項４】
請求項３に記載のディスク装置であって、
前記ディスク搬送装置は、前記ケースの搬出方向側に設けられ、前記ディスクを前記ケース内に搬入する搬入手段を備え、
前記ディスク処理手段は、略板状のテーブル基部と、前記テーブル基部の一面から突出し前記ディスクの軸孔が挿通されるテーブル挿通軸とを有するターンテーブルを備え、
前記第１イジェクトアーム及び前記第２イジェクトアームのうち少なくとも一方のイジェクトアームの回動先端側には、前記ディスクの搬入時に、当該ディスクの搬入方向側の端部が載置されるイジェクト載置部が設けられ、
前記搬入手段は、前記ディスクが載置される搬入載置部を備え、
前記イジェクト載置部は、前記テーブル挿通軸の突出先端よりも当該テーブル挿通軸の突出方向側に設けられ、
前記搬入載置部は、前記イジェクト載置部よりも前記テーブル挿通軸側に設けられている
ことを特徴とするディスク装置。
【発明の詳細な説明】
【技術分野】
【０００１】
本発明は、ディスク搬送装置及びディスク装置に関する
【背景技術】
【０００２】
従来、ケース内に収容されたディスクを２つのイジェクトアームで搬出する構成が知られている（例えば、特許文献１参照）。
【０００３】
この特許文献１に記載の構成では、シャーシに回動可能に固定されたイジェクトレバー及びホールドアームと、ディスクの搬入及び搬出に伴いスライドする第１，第２のスライダとを備える。
イジェクトレバーとホールドアームとの間には、互いに接触しないようにクリアランスが設けられている。また、イジェクトレバーとホールドアームとは、自重により互いの回動を妨げない程度に多少接触している場合がある。イジェクトレバーには、第１のスライダの２つの当接壁に挟まれるピンが設けられている。ホールドアームには、第２のスライダの第４のカムに侵入可能なピンが設けられている。また、ホールドアームとシャーシとの間には、引張ばねが設けられている。この引張ばねにより、ホールドアームは、ディスクを搬出する方向に付勢されている。
【０００４】
このような構成において、ディスクの搬入が完了した状態では、イジェクトレバーは、ピンが第１のスライダの一方の当接壁に当接することにより、ディスクから離れるように位置決めされている。ホールドアームは、ピンが第４のカムに侵入することにより、ディスクから離れるように位置決めされている。
この状態から、ディスクを搬出する際には、イジェクトレバーは、第１のスライダのスライドに伴いピンが他方の当接壁により押されることにより、ディスク搬出方向に移動する。また、ホールドアームは、第２のスライダのスライドに伴いピンが第４のカムから抜け出すとともに、引張ばねの付勢力が作用することにより、ディスクの搬出方向に移動する。
【先行技術文献】
【特許文献】
【０００５】
【特許文献１】特開２００５−１２２８６６号公報
【発明の概要】
【発明が解決しようとする課題】
【０００６】
しかしながら、特許文献１のような構成では、イジェクトレバーやホールドアームに反りが発生したり、寸法の変化が生じたりすると、クリアランスがなくなり両者が接触してしまう場合がある。この接触によるホールドアームに作用する負荷が、引張ばねの付勢力以上となり回動を妨げる大きさとなった場合、イジェクトレバーによるディスクの搬出が完了しても、ホールドアームが待機位置まで戻れないという不具合が発生する。この状態でユーザによりディスクが挿入されると、ホールドアームによりディスクの搬入が規制され、ディスクを適切な位置に搬入できなくなる。
【０００７】
本発明は、このような点等に鑑みて、第１イジェクトアームや第２イジェクトアームに反りや寸法変化が生じた場合でも、第１イジェクトアームと第２イジェクトアームの両方を適切に回動させることができるディスク搬送装置およびディスク装置を提供することを１つの目的とする。
【課題を解決するための手段】
【０００８】
本発明のディスク搬送装置は、ケースに収納されたディスクを搬出するディスク搬送装置であって、第１回動軸を中心に回動可能に設けられ、前記ディスクを搬出する第１イジェクトアームと、第２回動軸を中心に回動可能に設けられ、前記ディスクを搬出する第２イジェクトアームと、前記第１イジェクトアームを回動させる駆動手段と、前記駆動手段の制御により前記第１イジェクトアームが前記ディスクを搬出する方向へ回動したときに、前記第１イジェクトアームの回動に同期させて前記第２イジェクトアームを前記ディスクを搬出する方向へ回動させる同期手段と、を備え、前記同期手段は、前記第１イジェクトアームに設けられた第１同期ギアと、前記第１同期ギアに連結されるように前記第２イジェクトアームに設けられた第２同期ギアとを備えることを特徴とする。
【０００９】
本発明のディスク装置は、ディスクを収納可能なケースと、前記ケースに収納されたディスクを搬出する上述のディスク搬送装置と、前記ディスクに対する処理をするディスク処理手段と、を備えることを特徴とする。
【図面の簡単な説明】
【００１０】
【図１】本発明の一実施形態に係るディスク装置の待機状態を示す平面図。
【図２】前記ディスク装置のディスク搬送装置の概略構成を示す平面図。
【図３】前記ディスク装置のメインカム周辺の概略構成を示す斜視図。
【図４】前記ディスク搬送装置の要部を示す斜視図。
【図５】前記ディスク装置の大径ディスクを搬送する構成の位置関係を示す正面図。
【図６】前記ディスク装置の大径ディスクを搬送する構成の位置関係を示す側面図。
【図７】前記ディスク装置の大径ディスクの搬入開始後の状態を示す平面図。
【図８】前記ディスク装置の大径ディスクの搬入完了時の状態を示す平面図。
【図９】前記ディスク装置の大径ディスクの搬出開始時の状態を示す平面図。
【図１０】前記ディスク装置の大径ディスクの搬出完了時の状態を示す平面図。
【図１１】前記ディスク装置の小径ディスクが挿入された状態を示す平面図。
【発明を実施するための形態】
【００１１】
以下、本発明の一実施形態について説明する。
［ディスク装置の構成］
図１に示すように、ディスク装置１は、例えばノート型のパーソナルコンピュータなどの携帯型の電気機器や、車両などに搭載される電気機器などに装着される、いわゆるスロットインタイプと称されるものである。このディスク装置１は、ＢＤ（Blu-ray Disc）やＤＶＤ（Digital Versatile Disc）である、直径１２ｃｍのディスクとしての大径ディスクＤ１（図７参照）にデータを記録したり、大径ディスクＤ１に記録されたデータを再生する。
そして、ディスク装置１は、略箱形状のケース２を有している。このケース２は、前面および上面が開口するケース下部２１と、このケース下部２１の上面を略閉塞するケース上部２２と、ケース下部２１の前面を略閉塞するベゼル２３とを備えている。
なお、以下において、図１における上側、下側、右側、左側、紙面の手前側、紙面の奥側を、それぞれ後面側、前面側、右面側、左面側、上面側、下面側と適宜称して説明する。
【００１２】
ケース２内には、ケース２内外に大径ディスクＤ１を搬送するディスク搬送装置３と、ケース２内の大径ディスクＤ１にデータを記録したりするディスク処理手段６と、が設けられている。
ディスク搬送装置３は、大径ディスクＤ１を搬送する搬送手段４と、この搬送手段４を駆動する駆動手段５と、を備えている。
【００１３】
搬送手段４は、ケース下部２１の前面側且つ右面側に設けられた搬入手段としてのロードアーム４１と、このロードアーム４１を回動させるリンクアーム４２と、ケース下部２１の前面側且つ左面側に設けられた搬入手段としてのディスクガイド４３と、ケース下部２１の後面側且つ右面側に設けられた略板状の第１イジェクトアーム４４と、この第１イジェクトアーム４４の前面側に設けられた略板状の第２イジェクトアーム４５と、ディスクガイド４３の後面側に設けられた第１センターガイド４６と、メインカム５３の後面側に設けられた第２センターガイド４７とを備えている。
ディスクガイド４３は、前後方向に延びるように固定されている。
第１センターガイド４６は、長手方向一端側の回動軸４６１を中心にして回動可能に設けられている。
【００１４】
ロードアーム４１は、図１及び図２に示すように、長手方向一端側の回動軸４１１を中心にして回動可能に設けられている。
このロードアーム４１の下面には、長手状の係合軸４１２が設けられている。
また、ロードアーム４１の回動先端には、大径ディスクＤ１を支持するローディング支持部４１３が設けられている。
【００１５】
リンクアーム４２は、図１〜図３に示すように、長手方向一端側の回動軸４２１を中心にして回動可能に、後述するメインカムホルダ５３５の上面略中央に設けられている。
リンクアーム４２の回動先端には、ロードアーム４１の係合軸４１２内で移動可能に係合するアーム係合ピン４２２が設けられている。
また、リンクアーム４２の回動軸４２１側には、メインカムホルダ５３５の長孔を介して、メインカム５３の第１案内溝５３２内で移動可能に係合するカム係合ピン４２３が設けられている。
さらに、リンクアーム４２の回動軸４２１側の端部と、メインカムホルダ５３５との間には、前後方向に延びるようにコイルばね４２４が架け渡されている。
【００１６】
第１イジェクトアーム４４の長手方向一端側には、図１、図２及び図４に示すように、第１イジェクトアーム４４の回動中心となる第１回動軸４４１が設けられている。この第１回動軸４４１は、ケース下部２１に設けられたブリッジプレート２４に取り付けられている。
また、第１イジェクトアーム４４の一端側には、後述するメインカム５３の第２案内溝５３３内で移動可能に係合するカム係合ピン４４２が設けられている。
さらに、第１イジェクトアーム４４の回動中心近傍には、第１同期ギア４４３が設けられている。この第１同期ギア４４３は、第１イジェクトアーム４４におけるケース下部２１の前面側を向く側面から突出し、且つ、円弧状に並ぶ複数のギア歯により構成されている。
また、第１イジェクトアーム４４の他端（回動先端）には、大径ディスクＤ１を支持するディスクキャッチ４４４が設けられている。
【００１７】
第２イジェクトアーム４５の長手方向一端側には、ブリッジプレート２４に取り付けられ、第２イジェクトアーム４５の回動中心となる第２回動軸４５１が設けられている。第２イジェクトアーム４５と第１イジェクトアーム４４との間には、クリアランスが設けられており、第２イジェクトアーム４５は、回動中に第１イジェクトアーム４４と接触しないようになっている。
第２イジェクトアーム４５の回動中心近傍には、第１イジェクトアーム４４の第１同期ギア４４３に直接噛み合う（直接連結する）第２同期ギア４５２が設けられている。この第２同期ギア４５２は、第２イジェクトアーム４５におけるケース下部２１の後面側を向く側面から突出し、且つ、円弧状に並ぶ複数のギア歯により構成されている。
さらに、第２イジェクトアーム４５の回動先端には、大径ディスクＤ１に当接する当接爪４５３が設けられている。
また、第２イジェクトアーム４５の回動中心側と、ブリッジプレート２４との間には、前後方向に延びるようにコイルばね４５４が設けられている。
なお、第１同期ギア４４３と第２同期ギア４５２は、第１イジェクトアーム４４と第２イジェクトアーム４５とを同期させて回動させる同期手段４８を構成している。
【００１８】
第２センターガイド４７は、図１及び図４に示すように、ブリッジプレート２４に設けられた回動軸４７１を中心に回動する回動部４７２と、この回動部４７２の先端から上面側に突出し大径ディスクＤ１の側面に当接する当接ピン４７３と、を備えている。
【００１９】
駆動手段５は、図１に示すように、制御回路部で制御されるモータ５１と、このモータ５１の回転駆動を伝達する駆動伝達部５２と、この駆動伝達部５２により伝達される駆動により移動する長手状のメインカム５３とを備えている。
駆動伝達部５２は、図２に示すように、５個のギア５２１，５２２，５２３，５２４，５２５を備え、モータ５１のウォームギア５１１の回転をメインカム５３に伝達する。
【００２０】
メインカム５３は、図１〜図３に示すように、ケース下部２１の右面側において前後（図１中上下）に移動可能に設けられている。このメインカム５３の前面側の左面には、ギア５２５が係合するラック５３１が設けられている。
また、メインカム５３の上面における前後方向略中央には、第１案内溝５３２が設けられている。
さらに、メインカム５３の上面における後面側には、第２案内溝５３３が設けられている。この第２案内溝５３３内には、当該第２案内溝５３３内を移動可能なスライダ５３４が設けられている。スライダ５３４は、メインカム５３の一部を覆うメインカムホルダ５３５と、当該スライダ５３４との間に設けられたコイルばね５３６により後方側に付勢されている。
【００２１】
ディスク処理手段６は、図１に示すように、固定部６１を介してケース２に取り付けられた枠状の台座部６２を有している。
台座部６２の端部には、大径ディスクＤ１を着脱自在に保持して回転させるターンテーブル６３が設けられている。さらに、台座部６２には、ターンテーブル６３に対して進退して、大径ディスクＤ１のデータを読み出したり大径ディスクＤ１にデータを記録するピックアップ６４が設けられている。
【００２２】
なお、ケース下部２１には、メインカム５３の移動に伴い、大径ディスクＤ１をターンテーブル６３に装着する装着位置と、この装着位置よりも下面側の待機位置との間において、台座部６２を回動させるための図示しない台座リンク機構が設けられている。
【００２３】
また、ターンテーブル６３と、ロードアーム４１のローディング支持部４１３と、ディスクガイド４３と、第１イジェクトアーム４４のディスクキャッチ４４４との上下方向の位置関係（大径ディスクＤ１の厚さ方向の位置関係）は、図５及び図６に示すようになっている。
【００２４】
すなわち、ターンテーブル６３は、円板状のテーブル基部６５と、このテーブル基部６５の上面から円板状に突出するテーブル挿通軸６６とを備えている。テーブル挿通軸６６には、大径ディスクＤ１の軸孔Ｄ１１（図７参照）が挿通される。そして、テーブル基部６５の上面は、大径ディスクＤ１の軸孔Ｄ１１周縁が載置されるテーブル載置面６５１を構成している。
ローディング支持部４１３は、円板状の支持基部４１４と、この支持基部４１４の上面から円柱状に突出する支持当接部４１５とを備えている。支持基部４１４の上面は、大径ディスクＤ１の外縁部が載置される搬入載置部としての支持載置面４１６を構成している。支持当接部４１５には、大径ディスクＤ１の側面が当接する。
ディスクガイド４３は、長板状のガイド基部４３１と、このガイド基部４３１の短手方向一側縁から上方に延びるガイド側面部４３２とを備え、断面略Ｌ字状に形成されている。ガイド基部４３１の上面は、大径ディスクＤ１の外縁部が載置される搬入載置部としてのガイド載置面４３３を構成している。ガイド側面部４３２には、大径ディスクＤ１の側面が当接する。
【００２５】
ディスクキャッチ４４４は、略四角板状のキャッチ基部４４５と、このキャッチ基部４４５の略中央から円柱状に突出するキャッチ当接部４４６とを備えている。キャッチ基部４４５の上面におけるキャッチ当接部４４６の周囲は、大径ディスクＤ１の外縁部が載置されるイジェクト載置部としてのキャッチ載置面４４７を構成している。キャッチ当接部４４６には、大径ディスクＤ１の側面が当接する。
【００２６】
そして、図５に示すように、ディスク装置１を前面側（ベゼル２３側）から見た場合、キャッチ載置面４４７は、ターンテーブル６３のテーブル挿通軸６６の上面６６１よりも、上側（テーブル挿通軸６６の突出方向側）に位置するように配置されている。また、キャッチ載置面４４７は、支持載置面４１６の端部と、ガイド載置面４３３の端部とを結ぶ線Ｌ１よりも、上側（ケース上部２２側）に位置するように配置されている。すなわち、支持載置面４１６及びガイド載置面４３３は、キャッチ載置面４４７よりもテーブル挿通軸６６側に設けられている。
このような配置により、図６に示すように、大径ディスクＤ１は、ケース２内に挿入される際に、キャッチ載置面４４７と、支持載置面４１６と、ガイド載置面４３３とにより、挿入方向前方側の端部が後方側の端部よりも上側に位置し、且つ、ターンテーブル６３に接触しないように搬送される。
【００２７】
［ディスク装置の作用］
次に、ディスク装置１の作用として、大径ディスクＤ１の搬送動作について説明する。
｛大径ディスクの搬入時｝
大径ディスクＤ１の待機状態では、図１に示すように、第２イジェクトアーム４５は、コイルばね４５４により、時計回り方向（当接爪４５３が左面側に移動する方向）に回動するように付勢される。この付勢により、第１同期ギア４４３が第２同期ギア４５２に噛み合っている第１イジェクトアーム４４は、反時計回り方向（ディスクキャッチ４４４が右面側に移動する方向）に回動するように付勢される。しかし、第１イジェクトアーム４４のカム係合ピン４４２がメインカム５３の第２案内溝５３３の左面に当接し、第１イジェクトアーム４４の反時計回り方向への回動が規制される。
その結果、第１イジェクトアーム４４及び第２イジェクトアーム４５は、図１に示すように位置決めされる。具体的に、第１イジェクトアーム４４は、ディスクキャッチ４４４がターンテーブル６３の前方に位置するように位置決めされる。
そして、ユーザにより大径ディスクＤ１がケース２内に挿入されると、大径ディスクＤ１の挿入方向前方側の端部は、第１イジェクトアーム４４に当接し、ターンテーブル６３よりも上方に位置するように、キャッチ載置面４４７に載置される。
【００２８】
この状態から、大径ディスクＤ１がさらに挿入されると、図７に示すように、第１イジェクトアーム４４は、時計回りに回動し、図示しないスイッチをオンからオフにする。このとき、第２同期ギア４５２が第１同期ギア４４３と直接噛み合っているため、第２イジェクトアーム４５は、第１イジェクトアーム４４の時計回りの回動に伴い、反時計回りに回動する。
また、大径ディスクＤ１は、図６に示すように、キャッチ載置面４４７と、支持載置面４１６と、ガイド載置面４３３との支持により、挿入方向前方側の端部が後方側の端部よりも上側に位置し、且つ、ターンテーブル６３の上側において搬送される。
そして、第１イジェクトアーム４４によりスイッチがオンになると、制御回路部は、モータ５１を駆動し、駆動伝達部５２を介してメインカム５３を前方に移動させる。
【００２９】
メインカム５３が前方に移動すると、リンクアーム４２が時計回りに回動し、この回動に伴いロードアーム４１が時計回りに回動する。このロードアーム４１の回動により、大径ディスクＤ１がケース２内に押し込まれる。
また、メインカム５３が前方に移動すると、カム係合ピン４４２がメインカム５３の第２案内溝５３３の後面により前方に押され、その結果、第１イジェクトアーム４４は、時計回りに回動する。また、第２イジェクトアーム４５は、第１イジェクトアーム４４と同期して、反時計回りに回動する。
以上の各アーム４１，４４，４５の回動により、大径ディスクＤ１は、ディスクガイド４３にガイドされつつ、ケース２内に搬入される。
【００３０】
この後、大径ディスクＤ１全体がケース２内に搬入されると、制御回路部は、各アーム４１，４４，４５の回動を停止させるとともに、第１センターガイド４６を反時計回りに回動させ、第２センターガイド４７を時計回りに回動させる。このように各アーム４１，４４，４５及び各ガイド４６，４７を回動させて大径ディスクＤ１に当接させることにより、大径ディスクＤ１は、図８に示すような搬入完了位置に位置決めされる。
そして、制御回路部は、台座部６２を回動させてターンテーブル６３に大径ディスクＤ１を装着するとともに、各アーム４１，４４，４５及び各ガイド４６，４７を大径ディスクＤ１から離す。
以上により、大径ディスクＤ１の搬入動作が完了する。
【００３１】
｛大径ディスクの搬出時｝
一方で、大径ディスクＤ１を搬出する際には、制御回路部は、台座部６２を回動させてターンテーブル６３から大径ディスクＤ１を外した後、メインカム５３を後方に移動させる。メインカム５３が後方へ移動すると、カム係合ピン４４２が係合している第２案内溝５３３も後方に移動するため、第２イジェクトアーム４５を介したコイルばね４５４の付勢により、第１イジェクトアーム４４は、反時計回りに回動する。また、第１イジェクトアーム４４の回動に同期して、第２イジェクトアーム４５は、時計回りに回動する。その結果、図９に示すように、第１イジェクトアーム４４のディスクキャッチ４４４と、第２イジェクトアーム４５の当接爪４５３は、大径ディスクＤ１の外縁に当接する。
【００３２】
この後、制御回路部は、図１０に示すように、メインカム５３を図１に示す待機状態よりも後面側まで移動させる。この移動により、第１イジェクトアーム４４がさらに反時計回りに回動するとともに、第２イジェクトアーム４５が時計回りに回動し、大径ディスクＤ１は、第１イジェクトアーム４４及び第２イジェクトアーム４５で押し出されて搬出される。
【００３３】
ここで、図１に示す待機状態、及び、図１０に示す搬出完了状態において、第１イジェクトアーム４４の回動状態は、一致している。しかし、図１の待機状態では、第２案内溝５３３の後面側でカム係合ピン４４２が係合しているが、図１０の搬出完了状態では、第２案内溝５３３の前面を構成するスライダ５３４と接触する位置でカム係合ピン４４２が係合している。
このようなカム係合ピン４４２とスライダ５３４との接触により、第１イジェクトアーム４４は、図１に示す待機状態まで強制的に回動させられる。また、第２同期ギア４５２が第１同期ギア４４３と噛み合う第２イジェクトアーム４５も、第１イジェクトアーム４４の強制的な回動に同期して、図１に示す待機状態まで強制的に回動させられる。
【００３４】
この後、制御回路部は、メインカム５３を前方に移動させ、図１に示す待機位置まで戻す。
以上により、大径ディスクＤ１の搬出動作が完了する。
【００３５】
｛ユーザにより誤って小径ディスクが挿入された場合｝
図１１に示すように、ユーザにより、直径８ｃｍの小径ディスクＤ２が挿入されると、小径ディスクＤ２は、第１イジェクトアーム４４のディスクキャッチ４４４と、第２イジェクトアーム４５の当接爪４５３とに当接する。この当接により、当該小径ディスクＤ２全体がケース２内に誤って挿入されることが防止される。
【００３６】
［ディスク装置の効果］
上述したように、上記実施形態では、以下のような作用効果を奏することができる。
（１）第１イジェクトアーム４４の回動に同期させて第２イジェクトアーム４５を回動させる同期手段４８として、第１イジェクトアーム４４に設けられた第１同期ギア４４３と、この第１同期ギア４４３に噛み合うように第２イジェクトアーム４５に設けられた第２同期ギア４５２とを適用している。
このため、ディスク装置１は、例えば第１イジェクトアーム４４の反りにより、第１イジェクトアーム４４と第２イジェクトアーム４５とが接触するようになった場合でも、駆動手段５の制御に基づくメインカム５３の移動により、第１イジェクトアーム４４を、待機位置まで強制的に回動させることができる。また、第２イジェクトアーム４５も、第１イジェクトアーム４４の強制的な回動に同期して、待機状態まで強制的に回動させることができる。
【００３７】
（２）第１，第２同期ギア４４３，４５２を、略板状の第１，第２イジェクトアーム４４，４５の側面に形成している。このため、ケース２の薄型化を図ることができる。
【００３８】
（３）ロードアーム４１の支持載置面４１６及びディスクガイド４３のガイド載置面４３３を、第１イジェクトアーム４４のキャッチ載置面４４７よりも、ターンテーブル６３のテーブル挿通軸６６側に設けている。
このため、大径ディスクＤ１を、その挿入方向前方側の端部が後方側の端部よりも上側に位置し、且つ、ターンテーブル６３に接触しないように搬送することができ、大径ディスクＤ１の傷付き、あるいは大径ディスクＤ１やターンテーブル６３の破損を防止できる。
【００３９】
［変形例］
なお、本発明は前述の一実施形態に限定されるものではなく、本発明の目的を達成できる範囲での変形、改良などは本発明に含まれるものである。
すなわち、第１同期ギア４４３と第２同期ギア４５２とを直接噛み合わせずに、少なくとも一つのギアを介して連結してもよい。
また、本発明の搬入手段として、ロードアーム４１及びディスクガイド４３を例示したが、これに限らない。例えば、搬入手段として、ディスク搬送方向と略直交する方向に延びるとともに、大径ディスクＤ１の面に当接可能な略円柱状のローラを回転させる構成を適用してもよい。このようなローラを用いる場合には、ローラの外周面は、大径ディスクＤ１が載置される搬入載置部として機能する。そして、このローラの搬入載置部がキャッチ載置面４４７よりもテーブル挿通軸６６側に設けられていれば、上記実施形態と同様の効果を奏することができる。
また、ディスクキャッチ４４４を第２イジェクトアーム４５に設けてもよい。
【符号の説明】
【００４０】
１…ディスク装置
２…ケース
３…ディスク搬送装置
５…駆動手段
６…ディスク処理手段
４１…搬入手段としてのロードアーム
４３…搬入手段としてのディスクガイド
４４…第１イジェクトアーム
４５…第２イジェクトアーム
４８…同期手段
６３…ターンテーブル
６５…テーブル基部
６６…テーブル挿通軸
４１６…搬入載置部としての支持載置面
４３３…搬入載置部としてのガイド載置面
４４１…第１回動軸
４４３…第１同期ギア
４４７…イジェクト載置部としてのキャッチ載置面
４５１…第２回動軸
４５２…第２同期ギア
Ｄ１…ディスクとしての大径ディスク
Ｄ１１…軸孔
【図１】
2012155793.tif 000003
【図２】
2012155793.tif 000004
【図３】
2012155793.tif 000005
【図４】
2012155793.tif 000006
【図５】
2012155793.tif 000007
【図６】
2012155793.tif 000008
【図７】
2012155793.tif 000009
【図８】
2012155793.tif 000010
【図９】
2012155793.tif 000011
【図１０】
2012155793.tif 000012
【図１１】
2012155793.tif 000013